(57)【要約】【課題】蒸気圧縮冷凍サイクルを行う冷媒回路（20）を備える冷凍装置（10）において、冷媒サイクルの制御パラメータの制御精度を向上させる。【解決手段】膨張弁（6）を何れかの開度ステップに設定する通常調節動作と、膨張弁（6）を隣り合う２つの開度ステップの一方に設定する時間と他方に設定する時間とのデューティ比を調節する微調節動作とを選択的に行う制御手段（53）を設ける。微調節動作では、膨張弁（6）の開度を隣り合う２つの開度ステップの一方に設定する状態と他方に設定する状態とが交互に繰り返される。この微調節動作中では、膨張弁（6）の開度が隣り合う開度ステップの一方と他方との間の開度に擬似的に設定される。【選択図】図２
2007003015.tif 000002
【特許請求の範囲】
【請求項１】
開度可変の膨張弁（6）が設けられて冷凍サイクルを行う冷媒回路（20）と、冷凍サイクルの状態を表す制御パラメータが所定の目標値となるように上記膨張弁（6）の開度を調節する制御手段（53）とを備える冷凍装置であって、
上記膨張弁（6）の開度は、全閉から全開までの間で複数の開度ステップに設定可能となっており、
上記制御手段（53）は、上記膨張弁（6）を何れかの開度ステップに設定する通常調節動作と、上記膨張弁（6）を隣り合う２つの開度ステップの一方に設定する時間と他方に設定する時間とのデューティ比を調節する微調節動作とを選択的に行うことを特徴とする冷凍装置。
【請求項２】
請求項１において、
上記制御手段（53）は、上記通常調節動作によっては上記制御パラメータが所定の目標値に達しない場合に上記微調節動作を行うことを特徴とする冷凍装置。
【請求項３】
請求項１又は２において、
上記制御手段（53）は、上記冷媒回路（20）の蒸発器の出口における冷媒過熱度を制御パラメータとして上記膨張弁（6）の開度を調節していることを特徴とする冷凍装置。
【発明の詳細な説明】
【技術分野】
【０００１】
本発明は、蒸気圧縮冷凍サイクルを行う冷媒回路を備える冷凍装置に関するものである。
【背景技術】
【０００２】
従来より、冷媒回路で冷媒が循環して蒸気圧縮冷凍サイクルを行う冷凍装置が知られている。
【０００３】
例えば、特許文献１には、冷媒回路に圧縮機、四方切換弁、室外側熱交換器、室外側膨張弁、室内側熱交換器、及び室内側膨張弁が接続された冷凍装置が開示されている。この冷凍装置は、１つの室外ユニットに対して複数の室内ユニットが設けられている。室内側熱交換器及び室内側膨張弁は、各室内ユニットに１つずつ設けられている。
【０００４】
この冷凍装置には、室内側膨張弁の開度を制御する制御部が各室内ユニットに設けられている。この制御部は、暖房運転では凝縮器出口のサブクール（過冷却度）が制御目標値になるように、冷房運転では蒸発器出口のスーパーヒート（過熱度）が制御目標値になるように、室内側膨張弁の開度を制御している。
【特許文献１】特開平１０−２８８４２８号公報
【発明の開示】
【発明が解決しようとする課題】
【０００５】
ところで、冷凍装置の膨張弁には、パルスモータの制御によって開度が調節される電子膨張弁がよく用いられる。この種の膨張弁は、その開度を連続的に調節することができず、その開度を全閉から全開までの間で複数の開度ステップに段階的に設定可能になっている。
【０００６】
このため、この種の膨張弁で冷媒サイクルの制御パラメータ（例えば蒸発器出口の冷媒過熱度）を所定の目標値に調節しようとしても、その制御パラメータが目標値にある程度近づくとそれ以上は目標値に近づかない場合がある。具体的に、膨張弁の開度をある開度ステップに調節すると制御パラメータは目標値を上回り、その開度ステップから１ステップ開度を調節するとその目標値を下回ってしまうような場合である。
【０００７】
本発明は、斯かる点に鑑みてなされたものであり、その目的とするところは、蒸気圧縮冷凍サイクルを行う冷媒回路を備える冷凍装置において、冷媒サイクルの制御パラメータの制御精度を向上させることにある。
【課題を解決するための手段】
【０００８】
第１の発明は、開度可変の膨張弁（6）が設けられて冷凍サイクルを行う冷媒回路（20）と、冷凍サイクルの状態を表す制御パラメータが所定の目標値となるように上記膨張弁（6）の開度を調節する制御手段（53）とを備える冷凍装置（10）を対象とする。そして、上記膨張弁（6）の開度は、全閉から全開までの間で複数の開度ステップに設定可能となっており、上記制御手段（53）は、上記膨張弁（6）を何れかの開度ステップに設定する通常調節動作と、上記膨張弁（6）を隣り合う２つの開度ステップの一方に設定する時間と他方に設定する時間とのデューティ比を調節する微調節動作とを選択的に行う。
【０００９】
第１の発明では、制御手段（53）が、膨張弁（6）の開度を調節するにあたって通常調節動作だけでなく微調節動作も行う。通常調節動作では、膨張弁（6）の開度が全閉から全開までの何れかの開度ステップに設定される。また、微調節動作では、膨張弁（6）の開度を隣り合う２つの開度ステップの一方に設定する状態と他方に設定する状態とが交互に繰り返される。この微調節動作中では、膨張弁（6）の開度が、隣り合う開度ステップの一方と他方との間の開度に擬似的に設定される。また、この微調節動作では、膨張弁（6）の開度についてデューティ比が調節される。つまり、一定の時間内において、膨張弁（6）を一方の開度ステップに設定する時間の割合を変化させれば、膨張弁（6）の擬似的な開度が２つの開度ステップの間で任意に設定される。
【００１０】
第２の発明は、第１の発明において、上記制御手段（53）は、上記通常調節動作によっては上記制御パラメータが所定の目標値に達しない場合に上記微調節動作を行う。
【００１１】
第２の発明では、制御手段（53）が通常調節動作を行うと、制御パラメータが所定の目標値に近づいてゆく。そして、通常調節動作では制御パラメータを所定の目標値に調節することができない場合に上記微調節動作が行われる。通常調節動作は制御パラメータを大きく調節する場合に行われ、微調節動作は制御パラメータを微調節する場合に行われる。例えば、隣り合う開度ステップの一方では所定の目標値を下回るが他方では所定の目標値を上回ってしまう場合に微調節動作が行われる。微調節動作では、膨張弁（6）の擬似的な開度が、デューティ比の調節によって隣り合う２つの開度ステップの間で任意に設定され、制御パラメータが所定の目標値になる。
【００１２】
第３の発明は、第１又は第２の発明において、上記制御手段（53）は、上記冷媒回路（20）の蒸発器の出口における冷媒過熱度を制御パラメータとして上記膨張弁（6）の開度を調節している。
【００１３】
第３の発明では、冷媒回路（20）の蒸発器の出口における冷媒過熱度が所定の目標値になるように、制御手段（53）が膨張弁（6）の開度を調節する。蒸発器の出口における冷媒過熱度は、制御手段（53）が通常調節動作と微調節動作とを行うことで調節される。
【発明の効果】
【００１４】
本発明では、制御手段（53）が微調節動作を行いデューティ比を調節することで、その微調節動作中の膨張弁（6）の擬似的な開度が、隣り合う２つの開度ステップの間で任意に設定されるようにしている。つまり、微調節動作により、膨張弁（6）の開度が実質的に小刻みに調節される。従って、制御パラメータを小刻みに調節することができ、冷媒サイクルの制御パラメータの制御精度が向上する。よって、通常調節動作では制御パラメータを所定の目標値に調節することができない場合であっても、制御パラメータを所定の目標値に調節することができるようになる。
【００１５】
また、上記第２の発明では、制御パラメータを大きく調節する場合には通常調節動作を行い、制御パラメータを微調節する場合には微調節動作を行うようにしている。これにより、効率的に制御パラメータを所定の目標値に調節することができる。
【００１６】
また、上記第３の発明では、冷媒回路（20）の蒸発器の出口における冷媒過熱度を調節するのに、制御手段（53）が通常調節動作と微調節動作とを行う。これにより、通常調節動作では蒸発器の出口における冷媒過熱度を所定の目標値に調節することができない場合であっても、微調節動作でデューティ比を調節することにより、蒸発器の出口における冷媒過熱度を所定の目標値に調節することができる。従って、蒸発器の冷却効率を向上させることができる。
【発明を実施するための最良の形態】
【００１７】
以下、本発明の実施形態を図面に基づいて詳細に説明する。
【００１８】
《発明の実施形態》
図１に示すように、本発明に係る冷凍装置により構成された空調機（10）は、１台の室外ユニット（11）と、複数台の室内ユニット（12,12,…）とを備えている。室外ユニット（11）は、屋外に設けられている。一方、各室内ユニット（12,12,…）は、室内に設けられている。
【００１９】
室外ユニット（11）には、室外回路（15）が設けられている。各室内ユニット（12）には、室内回路（16）がそれぞれ設けられている。空調機（10）では、これらの回路（15,16）を冷媒配管で接続して冷媒回路（20）が構成されている。各室内回路（16）は、室外回路（15）に対して互いに並列に接続されている。
【００２０】
〈室内ユニット〉
上述したように、各室内ユニット（12）は室内回路（16）をそれぞれ備えている。各室内回路（16）には、その液側端からガス側端へ向かって順に室内膨張弁（6）と室内熱交換器（7）とが設けられている。
【００２１】
室内熱交換器（7）は、クロスフィン式のフィン・アンド・チューブ型熱交換器であって、利用側熱交換器を構成している。室内膨張弁（6）は、その開度を調節するための弁棒とパルスモータの回転子とが直接連結されたいわゆる直動式の電子膨張弁として構成されている。この室外膨張弁（6）の開度は、全閉から全開までの間で複数の開度ステップ（例えば、全閉が０パルスで全開が４００パルス）に設定可能になっている。また、室内ユニット（12）には、図示しないが室内ファンが設けられている。室内熱交換器（7）へは、この室内ファンによって室内空気が送られる。
【００２２】
室内回路（16）において、室内膨張弁（6）と室内熱交換器（7）とを接続する冷媒配管には、冷媒の温度を計測する第１温度センサ（31）が設けられている。また、室内熱交換器（7）と室内ユニット（12）のガス側端とを接続する冷媒配管には、冷媒の温度を計測する第２温度センサ（32）が設けられている。第１温度センサ（31）の計測値と第２温度センサ（32）の計測値とは、後述するコントローラ（50）に送られる。
【００２３】
〈室外ユニット〉
上述したように、室外ユニット（11）は室外回路（15）を備えている。この室外回路（15）には、圧縮機（1）、四路切換弁（2）、室外熱交換器（3）、及び室外膨張弁（4）が設けられている。
【００２４】
圧縮機（1）は、全密閉型のスクロール圧縮機で、いわゆる高圧ドーム型に構成されている。圧縮機（1）には、インバータを介して電力が供給される。この圧縮機（1）は、インバータの出力周波数を変化させて圧縮機モータの回転速度を変更することによって、その容量が変更可能となっている。
【００２５】
圧縮機（1）の吐出側には、吐出管（22）が接続されている。吐出管（22）の一端は、四路切換弁（2）の第１ポートに接続されている。圧縮機（1）の吸入側には、吸入管（21）が接続されている。吸入管（21）の一端は、四路切換弁（2）の第２ポートに接続されている。
【００２６】
室外熱交換器（3）は、クロスフィン式のフィン・アンド・チューブ型熱交換器であって、熱源側熱交換器を構成している。室外熱交換器（3）の一端は、四路切換弁（2）の第３ポートに接続されている。一方、室外熱交換器（3）の他端は、室外膨張弁（4）を介して液側閉鎖弁（25）に接続されている。室外膨張弁（4）は、室内膨張弁（6）と同様に直動式の電子膨張弁によって構成されている。また、室外ユニット（11）には、図示しないが室外ファンが設けられている。室外熱交換器（3）へは、この室外ファンによって室外空気が送られる。
【００２７】
四路切換弁（2）は、第１のポートが吐出管（22）に、第２のポートが吸入管（21）に、第３のポートが室外熱交換器（3）に、第４のポートがガス側閉鎖弁（26）にそれぞれ接続されている。この四路切換弁（2）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能となっている。
【００２８】
冷媒回路（20）は、この四路切換弁（2）の切換によって冷房運転と暖房運転とが切り換わるように構成されている。つまり、四路切換弁（2）が図１の破線側の状態に切り換わると、室外熱交換器（3）が蒸発器となって室内熱交換器（7）が凝縮器となる暖房運転で冷媒が冷媒回路（20）を循環する。四路切換弁（2）が図１の実線側の状態に切り換わると、室外熱交換器（3）が凝縮器となって室内熱交換器（7）が蒸発器となる冷房運転で冷媒が冷媒回路（20）を循環する。
【００２９】
室外回路（15）において、吐出管（22）には冷媒の圧力を計測する高圧センサ（33）が設けられている。吸入管（21）には冷媒の圧力を計測する低圧センサ（34）が設けられている。高圧センサ（33）の計測値と低圧センサ（34）の計測値とは、後述するコントローラ（50）に送られる。
【００３０】
〈コントローラの構成〉
この空調機（10）には、圧縮機（1）の運転周波数や室外膨張弁（4）及び室内膨張弁（6）の開度を制御するためのコントローラ（50）が設けられている。コントローラ（50）は、主に入力部（51）、演算部（52）、及び制御手段である制御部（53）から構成されている。
【００３１】
入力部（51）は、第１温度センサ（31）、第２温度センサ（32）、高圧センサ（33）、及び低圧センサ（34）の各計測値を受信するように構成されている。演算部（52）は、入力部（51）が受信した各センサ（31,32,33,34）の計測値をその入力部（51）から受け取り、冷房運転時の室内熱交換器（7）の出口における冷媒過熱度を計算する。制御部（53）は、演算部（52）で計算した室内熱交換器（7）の出口における冷媒過熱度に基づいて室内膨張弁（6）の開度を調節する。制御部（53）は、室内膨張弁（6）の開度を調節する際に、その室内膨張弁（6）を何れかの開度ステップに設定する通常調節動作と、その室内膨張弁（6）を隣り合う２つの開度ステップの一方に設定する時間と他方に設定する時間とのデューティ比を調節する微調節動作とを選択的に行う。
【００３２】
−運転動作−
上記空調機（10）の冷房運転及び暖房運転について説明する。
【００３３】
〈冷房運転〉
冷房運転時には、四路切換弁（2）が図１に示す実線側の状態に設定される。この状態で圧縮機（1）を運転すると、冷媒回路（20）内で冷媒が図１に示す実線の矢示の方向に循環して蒸気圧縮冷凍サイクルが行われる。
【００３４】
具体的に、圧縮機（1）から吐出された冷媒は、四路切換弁（2）を通過し、室外熱交換器（3）へ流入する。室外熱交換器（3）では、流入した冷媒が室外空気と熱交換して凝縮する。そして、凝縮した冷媒は、室外膨張弁（4）を通過し、各室内ユニット（12）へ分配される。室内ユニット（12）に流入した冷媒は、室内膨張弁（6）で減圧されて膨張し、室内熱交換器（7）へ流入する。室内熱交換器（7）では、流入した冷媒が室内空気と熱交換して蒸発する。その際、室内空気が冷却され、室内の冷房が行われる。蒸発した冷媒は、四路切換弁（2）を通過して圧縮機（1）へ吸入され、再び圧縮されて吐出される。
【００３５】
〈暖房運転〉
暖房運転時には、四路切換弁（2）が図１に示す破線側の状態に設定される。この状態で圧縮機（1）を運転すると、冷媒回路（20）内で冷媒が図１に示す破線の矢示の方向に循環して蒸気圧縮冷凍サイクルが行われる。
【００３６】
具体的に、圧縮機（1）から吐出された冷媒は、四路切換弁（2）を通過し、各室内ユニット（12）へ分配される。室内ユニット（12）に流入した冷媒は、室内熱交換器（7）へ流入する。室内熱交換器（7）では、流入した冷媒が室内空気と熱交換して凝縮する。その際、室内空気が加熱され、室内の暖房が行われる。そして、凝縮した冷媒は、室内膨張弁（6）及び室外膨張弁（4）で減圧されて膨張し、室外熱交換器（3）へ流入する。室外熱交換器（3）では、流入した冷媒が室外空気と熱交換して蒸発する。そして、蒸発した冷媒は、四路切換弁（2）を通過して圧縮機（1）へ吸入され、再び圧縮されて吐出される。
【００３７】
〈コントローラの動作〉
コントローラ（50）は、冷房運転時に各室内熱交換器（7）の出口における冷媒過熱度が目標過熱度（例えば２℃）になるように各室内膨張弁（6）の制御を行う。以下では、複数の室内ユニット（12,12,…）のうち１つの室内ユニット（12）の室内膨張弁（6）の制御について説明する。
【００３８】
コントローラ（50）の制御部（53）は、空調機（10）の冷房運転の開始の際に圧縮機（1）を起動させると共に室外膨張弁（4）を全開の状態に設定する。そして、制御部（53）は、冷房運転の開始後に室内膨張弁（6）を全閉の状態（０パルス）から徐々に開いていく。
【００３９】
なお、以下の説明において、「室内膨張弁（6）の開度ステップを大きくする」とは、室内膨張弁（6）の開度を大きくすることを意味する。冷房運転において、室内膨張弁（6）の開度ステップを大きくすると室内熱交換器（7）の出口における冷媒過熱度は小さくなり、室内膨張弁（6）の開度ステップを小さくすると室内熱交換器（7）の出口における冷媒過熱度は大きくなる。
【００４０】
制御部（53）は、まず通常調節動作で室内膨張弁（6）の開度を調節する。制御部（53）は、室内熱交換器（7）の出口における冷媒過熱度を観察しながら、室内膨張弁（6）を徐々に大きい開度ステップに設定していく。
【００４１】
具体的に、まず演算部（52）が室内熱交換器（7）の出口における冷媒過熱度を計算する。室内熱交換器（7）の出口における冷媒過熱度は、入力部（51）が受信した第２温度センサ（32）の計測温度及び低圧センサ（34）の計測圧力に基づいて計算される。そして、制御部（53）は、室内熱交換器（7）の出口における冷媒過熱度と目標過熱度との差に応じて開度ステップを調節する。制御部（53）は、その差が大きい場合には開度ステップを比較的大きな間隔（例えば１０パルス）で調節し、その差が小さい場合には開度ステップを小刻みに調節する。制御部（53）が開度ステップを変更すると、演算部（52）は室内熱交換器（7）の出口における冷媒過熱度を再び計算する。制御部（53）は、その計算した冷媒過熱度に基づいてさらに開度ステップを調節してゆく。
【００４２】
室内熱交換器（7）の出口における冷媒過熱度と目標過熱度との差が小さくなってくると、制御部（53）は、微調節動作に移行するか否かの決定を行う。具体的に、制御部（53）は、室内熱交換器（7）の出口における冷媒過熱度と目標過熱度との差が設定値（例えば０．７℃）未満になると微調節動作への移行を決定する。
【００４３】
微調節動作では、制御部（53）は、室内膨張弁（6）を隣り合う２つの開度ステップの一方に設定する時間と他方に設定する時間とのデューティ比を調節する。具体的に、制御部（53）は、微調節動作に移行する時の開度ステップである第１の開度ステップと、その第１の開度ステップより１つ開度が大きい第２の開度ステップとに交互に室内膨張弁（6）を設定する（図２参照）。第１の開度ステップに設定している時間（T1）と第２の開度ステップに設定している時間（T2）の合計時間（T3＝T1＋T2）は、一定（例えば２０秒間）に保たれる。制御部（53）は、上記合計時間（T3）に対する第１の開度ステップに設定している時間（T1）の比率であるデューティ比（T1／T3）を調節する。これにより、第１の開度ステップの時間（T1）と第２の開度ステップの時間（T2）とが決定される。デューティ比（T1／T3）が大きいほど室内膨張弁（6）の擬似的な開度は第１の開度ステップに近くなり、デューティ比（T1／T3）が小さいほど室内膨張弁（6）の擬似的な開度は第２の開度ステップに近くなる。
【００４４】
制御部（53）は、微調節動作の開始時において、デューティ比（T1／T3）を例えば０．８に設定する。制御部（53）は、室内熱交換器（7）の出口における冷媒過熱度と目標過熱度との差を観察しながら、デューティ比（T1／T3）を調節してゆく。デューティ比（T1／T3）は、例えば０.２ピッチで調節される。これにより、室内熱交換器（7）の出口における冷媒過熱度が通常調節動作に比べて小刻みに調節され、室内熱交換器（7）の出口における冷媒過熱度が目標過熱度に近づいてゆく。
【００４５】
なお、室内熱交換器（7）の出口における冷媒過熱度は、室内温度や風量の影響を受けるため、室内膨張弁（6）の開度を一定にしても一定の値にならない。このため、冷房運転中は、室内膨張弁（6）の開度を調節し続けなければならない。制御部（53）は、室内熱交換器（7）の出口における冷媒過熱度と目標過熱度との差が設定値以上であれば通常調節動作を行い、設定値未満であれば微調節動作を行う。また、制御部（53）は、室内熱交換器（7）の出口における冷媒過熱度が目標過熱度を下回ると室内膨張弁（6）の開度ステップを小さくし、室内熱交換器（7）の出口における冷媒過熱度が目標過熱度を上回ると室内膨張弁（6）の開度ステップを大きくする。
【００４６】
−実施形態の効果−
上記実施形態では、制御部（53）が微調節動作を行いデューティ比を調節することで、その微調節動作中の室内膨張弁（6）の擬似的な開度が、隣り合う２つの開度ステップ（第１の開度ステップと第２の開度ステップ）の間で任意に設定されるようにしている。つまり、微調節動作により、室内膨張弁（6）の開度が実質的に小刻みに調節される。従って、室内熱交換器（7）の出口における冷媒過熱度を小刻みに調節することができる。よって、通常調節動作では室内熱交換器（7）の出口における冷媒過熱度を目標過熱度に調節することができない場合であっても、室内熱交換器（7）の出口における冷媒過熱度を目標過熱度に調節することができるようになる。よって、冷房運転において室内熱交換器（7）の冷却効率が向上する。また、圧縮機（1）が吸入する冷媒の過熱度も一定になるので、圧縮機（1）の液圧縮を防止することもできる。
【００４７】
上記実施形態では、室内熱交換器（7）の出口における冷媒過熱度を大きい間隔で調節する場合には通常調節動作を行い、室内熱交換器（7）の出口における冷媒過熱度を微調節する場合には微調節動作を行うようにしている。これにより、効率的に室内熱交換器（7）の出口における冷媒過熱度を目標過熱度に近づけることができる。
【００４８】
−実施形態の変形例−
実施形態の変形例についてを説明する。この変形例では、コントローラ（50）が、冷凍サイクルの状態を表す制御パラメータとして暖房運転時の各室内熱交換器（7）の出口における冷媒の過冷却度を制御している。コントローラ（50）は、各室内熱交換器（7）の出口における冷媒の過冷却度が目標値になるように各室内膨張弁（6）の制御を行う。
【００４９】
具体的に、演算部（52）が室内熱交換器（7）の出口における冷媒の過冷却度を計算する。室内熱交換器（7）の出口における冷媒の過冷却度は、入力部（51）が受信した第１温度センサ（31）の計測温度及び高圧センサ（33）の計測圧力に基づいて計算される。そして、制御部（53）は、室内熱交換器（7）の出口における冷媒の過冷却度と目標値との差に応じて室内膨張弁（6）の開度ステップを調節する。制御部（53）は、室内熱交換器（7）の出口の冷媒における過冷却度と目標値との差が設定値以上であれば通常調節動作を行い、設定値未満であれば微調節動作を行う。
【００５０】
《その他の実施形態》
上記実施形態については、室外膨張弁（4）及び室内膨張弁（6）として、弁棒がギアを介してパルスモータの回転子に連結されたいわゆるギア式の電子膨張弁を用いてもよい。ギア式の電子膨張弁は、直動式の電子膨張弁よりも全閉から全開まで開度ステップの数が多く制御パラメータを小刻みに調節することができるが、微調節動作を行うことで制御パラメータをさらに細かく調節することができるようになる。
【００５１】
また、上記実施形態については、制御部（53）が、冷凍サイクルの状態を表す制御パラメータとして、圧縮機（1）が吸入する冷媒の過熱度（吸入スーパーヒート）の制御を行ってもよい。制御部（53）は、圧縮機（1）が吸入する冷媒の過熱度が目標値に近づくように室外膨張弁（4）の開度を調節する。なお、この場合に、吸入管（21）には温度センサが設けられる。演算部（52）は、この温度センサの計測温度及び低圧センサ（34）の計測圧力に基づいて圧縮機（1）が吸入する冷媒の過熱度を計算する。
【００５２】
また、上記実施形態については、制御部（53）が、冷凍サイクルの状態を表す制御パラメータとして、圧縮機（1）が吐出する冷媒の過熱度（吐出スーパーヒート）の制御を行ってもよい。制御部（53）は、圧縮機（1）が吐出する冷媒の過熱度が目標値に近づくように室外膨張弁（4）の開度を調節する。なお、この場合に、吐出管（22）には温度センサが設けられる。演算部（52）は、この温度センサの計測温度及び高圧センサ（33）の計測圧力に基づいて圧縮機（1）が吐出する冷媒の過熱度を計算する。
【００５３】
なお、以上の実施形態は、本質的に好ましい例示であって、本発明、その適用物、あるいはその用途の範囲を制限することを意図するものではない。
【産業上の利用可能性】
【００５４】
以上説明したように、本発明は、蒸気圧縮冷凍サイクルを行う冷媒回路を備える冷凍装置について有用である。
【図面の簡単な説明】
【００５５】
【図１】実施形態に係る空調機の概略構成図である。
【図２】実施形態の室内膨張弁の開度状態を表す図である。
【符号の説明】
【００５６】
6   室内膨張弁（膨張弁）
10  空気機（冷凍装置）
20  冷媒回路
53  制御部（制御手段）
【図１】
2007003015.tif 000003
【図２】
2007003015.tif 000004